(57)【特許請求の範囲】
【請求項１】
基材層と、該基材層の上に設けられたくじ等の第二情報を含む絵柄を印刷した第２印刷層と、該第２印刷層の上に設けられたスクラッチ用剥離インキ層と、該スクラッチ用剥離インキ層の上に設けられたスクラッチ用隠蔽インキ層と、該スクラッチ用隠蔽インキ層の上に設けられたくじ等の第一情報を含む絵柄が印刷された第１印刷層と、該第１印刷層の上に設けられたテープ剥し用剥離インキ層と、該テープ剥し用剥離インキ層の上に設けられたテープ剥し用隠蔽インキ層とから構成され、前記スクラッチ用剥離インキ層が紫外線硬化型インキからなり、前記スクラッチ用隠蔽インキ層がアクリル系樹脂を主とする溶剤乾燥型インキからなり、前記テープ剥し用剥離インキ層がゴム系樹脂を主とするインキからなり、前記テープ剥し用隠蔽インキ層が硝化綿を主とするインキからなることを特徴とするダブルインスタントくじ。
【発明の詳細な説明】
【技術分野】
【０００１】
本発明は印刷物の技術分野に属するもので、特に、隠蔽インキ層をコインや爪で擦ることや、テープによりその隠蔽インキ層を剥がし取ることにより、隠蔽されていた「当り」「外れ」等の文字や、それに該当する数字や絵柄などの情報を可視化させることができる隠蔽インキ層が施されている印刷物であるインスタントくじに関するものである。
【背景技術】
【０００２】
インスタントくじは、その場で、すぐに「当たり」、「外れ」が分かるくじであり、従来から販売促進、キャンペーン等で多く使用されている。このインスタントくじは、コインや爪で、銀色の隠蔽インキ層を削りとって、隠蔽されていた印刷部分のくじ情報（「当たり」・「外れ」）が現れるスクラッチタイプのくじや、くじ情報を隠している隠蔽インキ層の上にセロテープ等を貼り、そのセロテープを剥がすことにより、隠されていた印刷部分のくじ情報（「当たり」・「外れ」）が現れる剥離タイプのくじ等が知られている（例えば、特許文献１、特許文献２を参照）。
【０００３】
しかし、従来のこの種のインスタントくじでは、印刷物において、一つの隠蔽されたくじ情報を見ることができる構成となっており、一つの印刷物において、二つのくじ情報を隠蔽してくじとするためには、別々の位置にそれぞれ隠蔽インキ層を設けてくじ等の情報を隠蔽してくじとする必要があった。一つの印刷物の同一の位置において、二つのくじ情報を隠蔽してくじとする構成は今まで見られなかった。
【先行技術文献】
【特許文献】
【０００４】
【特許文献１】特開２０００−３０９１８３号公報
【特許文献２】特開平９−３０１４２０号公報
【発明の概要】
【発明が解決しようとする課題】
【０００５】
したがって、本発明は、一つの印刷物の同一位置に二つのくじ情報を隠蔽してくじとすることができ、印刷部の一つの位置で二回のくじを楽しめるダブルインスタントくじを提供することを目的とするものである。
【課題を解決するための手段】
【０００６】
上記目的を達成するために、本発明に係るダブルインスタントくじは次のような構成である。すなわち、請求項１に係る発明は、基材層と、該基材層の上に設けられたくじ等の第二情報を含む絵柄を印刷した第２印刷層と、該第２印刷層の上に設けられたスクラッチ用剥離インキ層と、該スクラッチ用剥離インキ層の上に設けられたスクラッチ用隠蔽インキ層と、該スクラッチ用隠蔽インキ層の上に設けられたくじ等の第一情報を含む絵柄が印刷された第１印刷層と、該第１印刷層の上に設けられたテープ剥し用剥離インキ層と、該テープ剥し用剥離インキ層の上に設けられたテープ剥し用隠蔽インキ層とから構成され、前記スクラッチ用剥離インキ層が紫外線硬化型インキからなり、前記スクラッチ用隠蔽インキ層がアクリル系樹脂を主とする溶剤乾燥型インキからなり、前記テープ剥し用剥離インキ層がゴム系樹脂を主とするインキからなり、前記テープ剥し用隠蔽インキ層が硝化綿を主とするインキからなることを特徴とするダブルインスタントくじである。
【発明の効果】
【０００８】
本発明のダブルインスタントくじは、一つの印刷物の同一位置に二つのくじ情報を隠蔽してくじとすることができ、印刷部の一つの位置で二回のくじを楽しめるという効果を有するものであり、すなわち、最上層のテープ剥し用隠蔽インキ層をテープなどの粘着性の部材を用いて剥離することにより、隠蔽された第一くじ情報を露出させることができ、一回目のくじとすることができる。この時、テープ剥し用隠蔽インキ層は、耐スクラッチ性に優れているため、テープなどの粘着性の部材を用いないと剥離することができない層となっている。つぎに、テープ剥しにより第一くじ情報とともに露出したスクラッチ用隠蔽インキ層をコインなどでこすり取ることにより、隠蔽された第二くじ情報を露出させることができ、二回目のくじとすることができ、小さな面積を２倍に利用できるという効果を奏するものである。
【図面の簡単な説明】
【００１０】
【図１】本発明のダブルインスタントくじの一つの実施形態を示す概略断面図である。
【発明を実施するための形態】
【００１１】
図１は、本発明のダブルインスタントくじ１の一つの実施形態を示す概略断面図であり、まず、基材層１１に第二くじ情報１２ａを含む絵柄が印刷された第２印刷層１２が印刷され、その第２印刷層１２の上に、スクラッチ用剥離インキ層１３が印刷され、そのスクラッチ用剥離インキ層１３の上にスクラッチ用隠蔽インキ層１４が印刷されており、つぎに、スクラッチ用隠蔽インキ層１４の上に第一くじ情報１５ａを含む絵柄が印刷された第１印刷層１５が印刷され、その第１印刷層１５の上に、テープ剥し用剥離インキ層１６が印刷され、そのテープ剥し用剥離インキ層１６の上にテープ剥し用隠蔽インキ層１７が印刷されている。なお、スクラッチ用隠蔽インキ層１４は絵柄の第二くじ情報１５ａを隠すような大きさで設けられ、スクラッチ用剥離インキ層１３はスクラッチ用隠蔽インキ層１４より大きく又は同等に設けられており、また、テープ剥し用隠蔽インキ層１７は絵柄の第一くじ情報を隠すような大きさで設けられ、テープ剥し用剥離インキ層１６はテープ剥し用隠蔽インキ層１７より大きく又は同等に設けられている。
【００１２】
以下、本発明のダブルインスタントくじを構成する各層について、説明する。
【００１３】
（基材層１１）
基材層１１は、主に板紙を使用し、板紙以外にも上質紙、アート紙、コート紙、キャストコート紙、合成樹脂又はエマルジョン含浸紙、合成ゴムラテックス含浸紙、合成樹脂内添紙、セルロース繊維紙等を使用することができる。また、上記の紙を原料にしたものでなく、ポリエステル樹脂、ポリエチレン樹脂、ポリプロピレン樹脂、ポリスチレン樹脂、アクリル樹脂等のプラスチックシート等も用いることができる。また、紙とプラスチックシートとの複合材料を使用することができる。
【００１４】
（第２印刷層１２）
本発明のダブルインスタントくじ１では、基材層１１の表面に第２印刷層１２を設けている。この第２印刷層１２には、種々の絵柄と共に、第二くじ情報１２ａが印刷され、従来から知られた平版印刷（オフセット印刷）、活版印刷（凸版印刷）、グラビア印刷等の印刷方法によって印刷され、それぞれの印刷方法に対応した従来のインキを使用することができる。特に、紫外線硬化型インキを好適に使用することができる。
【００１５】
（スクラッチ用剥離インキ層１３）
本発明のダブルインスタントくじ１では、第２印刷層１２の上には透明なインキ層であるスクラッチ用剥離インキ層１３を設けている。このスクラッチ用剥離インキ層１３は、このスクラッチ用剥離インキ層１３の上に印刷されるスクラッチ用隠蔽インキ層１４がコイン等によるスクラッチにより削り取られるように設けられ、かつ、スクラッチ用隠蔽インキ層１４がスクラッチにより削り取られる際、下に設けられた第二くじ情報が印刷された第２印刷層１２を保護するために設けられる。
【００１６】
また、スクラッチ用剥離インキ層１３に使用されるインキとしては、主に紫外線硬化型アクリル系樹脂を使用し、さらに、この紫外線硬化型アクリル系樹脂に、シリコーン、ワックス、またはその他のワニスを多く含有させたインキ組成物を使用して印刷してもよく、上層のスクラッチ用隠蔽インキ層１４が一定以上の摩擦力がかかると容易に剥離するが、かつ印刷工程や保管中に受ける可能性のある不用意な外力では剥離しないよう、樹脂系、厚み等を選択する必要がある。
【００１７】
（スクラッチ用隠蔽インキ層１４）
本発明のダブルインスタントくじ１では、スクラッチ用剥離インキ層１３の上に、スクラッチ用隠蔽インキ層１４を設けている。このスクラッチ用隠蔽インキ層１４は、下に設けた第２印刷層１２の第二くじ情報１２ａなどの必要な部分を隠蔽するために設けられ、かつ、コイン等によるスクラッチにより削り取られるように設けられる。
【００１８】
このスクラッチ用隠蔽インキ層１４は、従来から知られたグラビア印刷、スクリーン印刷等の印刷方法によって設けることができるが、隠蔽性を良くするためには、スクリーン印刷あるいはグラビア印刷が好ましい。使用するインキは、アクリル系樹脂、ゴム系樹脂（天然ゴム、塩酸ゴム、ポリブタジエン、スチレン・ブタジエン共重合体、アクリロニトリル・ブタジエン共重合体、ポリイソプレン、ポリクロロプレン等）、ビニル系樹脂をビヒクル（顔料を被印刷面に転移、固着させるための成分）としたものであり、中でも、アクリル系樹脂を主とする溶剤乾燥型のインキを好適に使用することができる。さらに、スクラッチ用隠蔽インキ層１４は、下地の隠蔽性を得るために、着色剤としての金属系微粉末（アルミニウム粉末、黄銅微粉末、銅微粉末）やそれらの酸化微粉末等を４０〜６０重量％含有している。
【００１９】
（第１印刷層１５）
本発明のダブルインスタントくじ１においては、スクラッチ用隠蔽インキ層１４の上にさらに第１印刷層１５を設けているが、この第１印刷層１５には、種々の絵柄と共に、第一くじ情報１５ａが印刷される。従来から知られた平版印刷（オフセット印刷）、活版印刷（凸版印刷）、グラビア印刷等の印刷方法によって印刷され、インキはそれぞれの印刷方法に対応した従来のインキを使用することができる。
【００２０】
（テープ剥し用剥離インキ層１６）
本発明のダブルインスタントくじ１では、第１印刷層１５の上には透明なインキ層であるテープ剥し用剥離インキ層１６を設けている。このテープ剥し用剥離インキ層１６は、テープ剥し用剥離インキ層１６の上に印刷されるテープ剥し用隠蔽インキ層１７だけがテープにより剥し取られるように、かつ、テープ剥し用剥離インキ層１４がテープにより剥し取られる際に、下に設けられた第１印刷層１５の第一くじ情報１５ａを認識できるように保護するために設けられる。
【００２１】
また、テープ剥し用剥離インキ層１６に使用されるインキとしては、ゴム系樹脂（天然ゴム、塩酸ゴム、ポリブタジエン、スチレン・ブタジエン共重合体、アクリロニトリル・ブタジエン共重合体、ポリイソプレン、ポリクロロプレン等）、アクリル系樹脂、ビニル系樹脂をビヒクル（顔料を被印刷面に転移、固着させるための成分）としたものであり、中でも、ゴム系樹脂を主とする溶剤乾燥型のインキを好適に使用することができる。
【００２２】
（テープ剥し用隠蔽インキ層１７）
本発明のダブルインスタントくじ１では、テープ剥し用剥離インキ層１６の上に、テープ剥し用隠蔽インキ層１７を設けている。このテープ剥し用剥離インキ層１６は、下に設けた第１印刷層１５の第一くじ情報１５ａなどの必要な部分を隠蔽するために設けられ、かつ、テープにより剥し取られるように設けられる。
このテープ剥し用隠蔽インキ層１７は、従来から知られたグラビア印刷、スクリーン印刷等の印刷方法によって設けることができるが、隠蔽性を良くするためには、スクリーン印刷あるいはグラビア印刷が好ましい。使用されるインキは、下に印刷されている第１印刷層１５の第一くじ情報１５ａを隠蔽するために隠蔽性の高い組成とすることが好ましく、硝化綿、ゴム系樹脂（天然ゴム、塩酸ゴム、ポリブタジエン、スチレン・ブタジエン共重合体、アクリロニトリル・ブタジエン共重合体、ポリイソプレン、ポリクロロプレン等）、アクリル系樹脂、ビニル系樹脂をビヒクル（顔料を被印刷面に転移、固着させるための成分）としたものであり、中でも、硝化綿を主とする溶剤乾燥型のインキを好適に使用することができる。さらに、テープ剥し用隠蔽インキ層１７は、下地の隠蔽性を得るために、着色剤としての金属系微粉末（アルミニウム粉末、黄銅微粉末、銅微粉末）やそれらの酸化微粉末等を４０〜６０重量％含有している。
【００２３】
本発明のダブルインスタント１くじを実際に利用する場合、まず、テープ剥し用隠蔽インキ層１７の上に、例えばセロテープを貼り付け、そのセロテープを剥すことにより、テープ剥し用隠蔽インキ層１７が剥がれて、隠蔽されていた第１印刷層１５の第一くじ情報１５ａが露出し、一回目のくじである、「当たり」、「外れ」を確認することができる。つぎに、コインなどにより、スクラッチ用隠蔽インキ層１４を削り取ることにより、隠蔽されていた第２印刷層１２の第二くじ情報１２ａが露出し、二回目のくじである、「当たり」、「外れ」を確認することができる。このようにして、本発明のダブルインスタント１くじは、同じ位置において、二度のくじを楽しむことができる構成である。
【実施例】
【００２４】
以下に、ダブルインスタントくじの製造方法と、その得られたダブルインスタントくじの使用される方法について、実施例に基づいて、説明する。
【００２５】
（実施例１）
カード状のダブルインスタントくじを製造した。枚葉の板紙にカードの絵柄を多面付けとし、まず、枚葉オフセット多色印刷機により、基材層である枚葉の板紙の表面にアクリル系樹脂を主とする紫外線硬化型インキを使用したオフセット印刷によって、「当たり」、「外れ」の第二くじ情報を含む所望の絵柄、文字を印刷して第２印刷層を設けた。その上に、スクラッチ用剥離インキ層を、紫外線硬化型インキを使用した同一オフセット印刷工程によって設けた。このスクラッチ用剥離インキ層は、第二くじ情報を隠蔽するために設けるスクラッチ用剥離インキ層と重なる部分より大きく設けた。
つぎに、スクラッチ用剥離インキ層の上で第二くじ情報を隠蔽する位置に、アクリル系樹脂を主とする溶剤乾燥型のインキを使用したシルクスクリーン印刷によって、スクラッチ用隠蔽インキ層を設けた。
つぎに、このスクラッチ用隠蔽インキ層の上に、アクリル系樹脂を主とする紫外線硬化型インキを使用したオフセット印刷によって、「当たり」、「外れ」の第一くじ情報を含む所望の絵柄、文字を印刷して第１印刷層を設けた。その第１印刷層の上で第一くじ情報を隠蔽する位置に、ゴム系樹脂を主とする溶剤乾燥型のインキを使用したスクリーン印刷によって、テープ剥し用剥離インキ層を設けた。
さらに、テープ剥し用剥離インキ層の上に、ほぼ重なる位置に、硝化綿を主とする溶剤乾燥型のインキを使用したシルクスクリーン印刷によって、テープ剥し用隠蔽インキ層を設けた。
最後に、多面付けを一面に断裁して、カード形状のダブルインスタントくじを作成した。
【００２６】
（実施例２）
カード状のダブルインスタントくじを製造した。枚葉の板紙にカードの絵柄を多面付けとし、まず、枚葉オフセット多色印刷機により、基材層である枚葉の板紙の表面にアクリル系樹脂を主とする紫外線硬化型インキを使用したオフセット印刷によって、「当たり」、「外れ」の第二くじ情報を含む所望の絵柄、文字を印刷して第２印刷層を設けた。その上に、スクラッチ用剥離インキ層を、紫外線硬化型インキを使用した同一オフセット印刷工程によって設けた。このスクラッチ用剥離インキ層は、第二くじ情報を隠蔽するために設けるスクラッチ用剥離インキ層と重なる部分より大きく設けた。
つぎに、枚葉グラビア印刷機により、スクラッチ用剥離インキ層の上で第二くじ情報を隠蔽する位置に、アクリル系樹脂を主とする溶剤乾燥型のインキを使用したグラビア印刷によって、スクラッチ用隠蔽インキ層を設けた。
つぎに、枚葉グラビア印刷機により、このスクラッチ用隠蔽インキ層の上に、アクリル系樹脂のインキを使用したグラビア印刷によって、「当たり」、「外れ」の第一くじ情報を含む所望の絵柄、文字を印刷して第１印刷層を設けた。その第１印刷層の上で第一くじ情報を隠蔽する位置に、ゴム系樹脂を主とする溶剤乾燥型のインキを使用したグラビア印刷によって、テープ剥し用剥離インキ層を設けた。
さらに、枚葉グラビア印刷機により、テープ剥し用剥離インキ層の上に、ほぼ重なる位置に、硝化綿を主とする溶剤乾燥型のインキを使用したグラビア印刷によって、テープ剥し用隠蔽インキ層を設けた。
最後に、多面付けを一面に断裁して、カード形状のダブルインスタントくじを作成した。
【００２７】
（実施例３）
カード状のダブルインスタントくじを製造した。枚葉の板紙にカードの絵柄を多面付けとし、まず、枚葉オフセット多色印刷機により、基材層である枚葉の板紙の表面にアクリル系樹脂を主とする紫外線硬化型インキを使用したオフセット印刷によって、「当たり」、「外れ」の第二くじ情報を含む所望の絵柄、文字を印刷して第２印刷層を設けた。その上に、スクラッチ用剥離インキ層を、紫外線硬化型インキを使用した同一オフセット印刷工程によって設けた。このスクラッチ用剥離インキ層は、第二くじ情報を隠蔽するために設けるスクラッチ用剥離インキ層と重なる部分より大きく設けた。
つぎに、枚葉グラビア多色印刷機により、スクラッチ用剥離インキ層の上で第二くじ情報を隠蔽する位置に、アクリル系樹脂を主とする溶剤乾燥型のインキを使用して、スクラッチ用隠蔽インキ層を設け、このスクラッチ用隠蔽インキ層の上に、アクリル系樹脂のインキを使用して、「当たり」、「外れ」の第一くじ情報を含む所望の絵柄、文字を印刷して第１印刷層を設け、その第１印刷層の上で第一くじ情報を隠蔽する位置に、ゴム系樹脂を主とする溶剤乾燥型のインキを使用して、テープ剥し用剥離インキ層を設け、テープ剥し用剥離インキ層の上に、ほぼ重なる位置に、硝化綿を主とする溶剤乾燥型のインキを使用して、テープ剥し用隠蔽インキ層を設けた。
最後に、多面付けを一面に断裁して、カード形状のダブルインスタントくじを作成した。
【符号の説明】
【００２８】
１      ダブルインスタントくじ
１１      基材層
１２      第２印刷層
１２ａ    第二くじ情報
１３      スクラッチ用剥離インキ層
１４      スクラッチ用隠蔽インキ層
１５      第１印刷層
１５ａ    第一くじ情報
１６      テープ剥し用剥離インキ層
１７      テープ剥し用隠蔽インキ層
【図１】
0005487838.tif 000002